(57)【要約】【課題】  画像を撮像し、撮像した画像のうち所望の領域の印刷を簡便に行うための技術を提供すること。【解決手段】  撮像画像を拡大した拡大画像のうち指示された領域を示させ（Ｓ８０２，Ｓ８０３，Ｓ８０４）、印刷指示が入力された場合には、拡大画像中の指示された領域の画像データ、もしくはこの画像データを印刷装置が印刷可能な形式に変換したデータを、印刷装置に出力する（Ｓ８０６）。【選択図】    図８
2006005474.tif 000002
【特許請求の範囲】
【請求項１】
撮像した画像を印刷装置に出力して印刷させることが可能な撮像装置であって、
撮像画像を表示するための表示手段と、
前記撮像画像の拡大を指示する指示手段と、
前記指示手段による指示に従って前記撮像画像を拡大した拡大画像を生成し、生成した当該拡大画像のうち指示された領域を前記表示手段に表示させる表示制御手段と、
印刷指示が入力された場合には、前記拡大画像中の前記指示された領域の画像データを、前記印刷装置に出力する出力手段と
を備えることを特徴とする撮像装置。
【請求項２】
撮像した画像を印刷装置に出力して印刷させることが可能な撮像装置であって、
撮像画像を表示するための表示手段と、
前記撮像画像の拡大を指示する指示手段と、
前記指示手段による指示に従って前記撮像画像を拡大した拡大画像を生成し、生成した当該拡大画像のうち指示された領域を前記表示手段に表示させる表示制御手段と、
前記撮像画像全体に対する印刷、もしくは前記拡大画像中の前記指示された領域の画像に対する印刷、の何れを行うのかを選択する選択手段と、
印刷指示が入力された場合には、前記選択手段が選択した方の画像データを、前記印刷装置に出力する出力手段と
を備えることを特徴とする撮像装置。
【請求項３】
前記指示手段は更に、前記撮像画像の色に関するパラメータを指示し、
前記表示制御手段は更に、前記指示手段により指示されたパラメータに従って表示する画像の色を変化させて前記表示手段に表示させることを特徴とする請求項１又は２に記載の撮像装置。
【請求項４】
撮像した画像を印刷装置に出力して印刷させることが可能な撮像装置の制御方法であって、
撮像画像を表示装置に表示する表示工程と、
前記撮像画像の拡大を指示する指示工程と、
前記指示工程による指示に従って前記撮像画像を拡大した拡大画像を生成し、生成した当該拡大画像のうち指示された領域を前記表示装置に表示させる表示制御工程と、
印刷指示が入力された場合には、前記拡大画像中の前記指示された領域の画像データを、前記印刷装置に出力する出力工程と
を備えることを特徴とする撮像装置の制御方法。
【請求項５】
撮像した画像を印刷装置に出力して印刷させることが可能な撮像装置の制御方法であって、
撮像画像を表示装置に表示する表示工程と、
前記撮像画像の拡大を指示する指示工程と、
前記指示工程による指示に従って前記撮像画像を拡大した拡大画像を生成し、生成した当該拡大画像のうち指示された領域を前記表示手段に表示させる表示制御工程と、
前記撮像画像全体に対する印刷、もしくは前記拡大画像中の前記指示された領域の画像に対する印刷、の何れを行うのかを選択する選択工程と、
印刷指示が入力された場合には、前記選択工程で選択した方の画像データを、前記印刷装置に出力する出力工程と
を備えることを特徴とする撮像装置の制御方法。
【請求項６】
撮像装置が備えるコンピュータに請求項４又は５に記載の制御方法を実行させるためのプログラム。
【請求項７】
請求項６に記載のプログラムを格納することを特徴とする、コンピュータ読み取り可能な記憶媒体。
【発明の詳細な説明】
【技術分野】
【０００１】
本発明は、撮像した画像を印刷装置に出力して印刷させる為の技術に関するものである。
【背景技術】
【０００２】
電子カメラでは、撮影により取得した画像はデジタル画像データとしてカメラ内部のメモリや着脱可能なICカードなどの記録媒体（リムーバブルメディア）に記録される。記録された画像は、液晶モニタ等の表示装置に表示させることが出来るとともに、家庭用プリンタ等で印刷して観賞することも出来る。
【０００３】
また、デジタル写真のプリントを自動化するためのDPOF（Digital Print Order Format）と呼ばれる統一規格も知られている。DPOF対応の電子カメラでは、プリント対象の画像を指定し、枚数や日付入れの有無などを入力すると、プリント情報ファイルが作成され、このDPOFファイルが画像データと共に記録メディアに記録される。そして、DPOFファイルを記録したメディアをDPOF対応プリンタにセットすることにより、プリント情報に従った印刷が自動的に行われる。
【０００４】
また、電子カメラの特徴である即時性を失わないように、コンピュータなどを介さずに直接電子カメラとプリンタを接続しプリント出力を得ることができるダイレクトプリントシステムが知られている。この様な電子カメラにおいて、撮像した画像の一部分を選択して印刷するトリミング印刷を行う場合には、印刷する部分を選択する手順が必要となる。
【０００５】
従来では、１枚の画像から複数のトリミング画像を生成し記録媒体に保存する電子カメラが提案されている（例えば特許文献１を参照）。
【０００６】
またその他では、モニタ等の外部表示装置とプリンタが接続可能で、所定の画像編集ソフトウェアが格納されたデジタル画像編集装置において、拡大表示された画像データを外部表示装置に出力し、プリント指定された時には外部表示装置に出力されている画像部分をプリントするデジタル画像編集装置も提案されている（例えば特許文献２を参照）。
【特許文献１】特開２００２-２２３４１３
【特許文献２】特開２０００-８３２２２
【発明の開示】
【発明が解決しようとする課題】
【０００７】
しかしながら、トリミング印刷を行う場合、印刷部分を選択する手順が入り、印刷部分選択に時間を必要とすることで、電子カメラの撮像による画像データの取得からプリント出力までの即時性が失われてしまう。そして、同じく印刷部分を選択する手順から通常の状態へ戻る場合にも時間が必要になってしまう。
【０００８】
また、一度印刷部分を選択する作業をした場合に、印刷部分情報を保持しなければ、再度刷部分を選択する作業が必要となってしまう。そうした場合には、前回と全く同じ部分を選択できない可能性が出てくる。
【０００９】
上述の、１枚の画像から複数のトリミング画像を生成し記録媒体に保存する電子カメラでは、複数のトリミングされた画像データを生成し、トリミング位置を保持することはできるが、印刷されることはない。印刷する場合には、別途印刷設定状態からトリミングした画像を選択して印刷指定をする必要があり、印刷までの手間と時間を要することになる。
【００１０】
また、上述のデジタル画像編集装置では、印刷する画像を選択して印刷するためには、別途モニタやプリンタをデジタル画像編集装置に接続する必要があり、そのシステムの規模は電子カメラに比べて大きなものとなる。
【００１１】
本発明は以上の問題に鑑みてなされたものであり、画像を撮像し、撮像した画像のうち所望の領域の印刷を簡便に行うための技術を提供することを目的とする。
【課題を解決するための手段】
【００１２】
本発明の目的を達成するために、例えば本発明の撮像装置は以下の構成を備える。
【００１３】
すなわち、撮像した画像を印刷装置に出力して印刷させることが可能な撮像装置であって、
撮像画像を表示するための表示手段と、
前記撮像画像の拡大を指示する指示手段と、
前記指示手段による指示に従って前記撮像画像を拡大した拡大画像を生成し、生成した当該拡大画像のうち指示された領域を前記表示手段に表示させる表示制御手段と、
印刷指示が入力された場合には、前記拡大画像中の前記指示された領域の画像データを、前記印刷装置に出力する出力手段と
を備えることを特徴とする。
【００１４】
本発明の目的を達成するために、例えば本発明の撮像装置は以下の構成を備える。
【００１５】
すなわち、撮像した画像を印刷装置に出力して印刷させることが可能な撮像装置であって、
撮像画像を表示するための表示手段と、
前記撮像画像の拡大を指示する指示手段と、
前記指示手段による指示に従って前記撮像画像を拡大した拡大画像を生成し、生成した当該拡大画像のうち指示された領域を前記表示手段に表示させる表示制御手段と、
前記撮像画像全体に対する印刷、もしくは前記拡大画像中の前記指示された領域の画像に対する印刷、の何れを行うのかを選択する選択手段と、
印刷指示が入力された場合には、前記選択手段が選択した方の画像データを、前記印刷装置に出力する出力手段と
を備えることを特徴とする。
【００１６】
本発明の目的を達成するために、例えば本発明の撮像装置の制御方法は以下の構成を備える。
【００１７】
すなわち、撮像した画像を印刷装置に出力して印刷させることが可能な撮像装置の制御方法であって、
撮像画像を表示装置に表示する表示工程と、
前記撮像画像の拡大を指示する指示工程と、
前記指示工程による指示に従って前記撮像画像を拡大した拡大画像を生成し、生成した当該拡大画像のうち指示された領域を前記表示装置に表示させる表示制御工程と、
印刷指示が入力された場合には、前記拡大画像中の前記指示された領域の画像データを、前記印刷装置に出力する出力工程と
を備えることを特徴とする。
【００１８】
本発明の目的を達成するために、例えば本発明の撮像装置の制御方法は以下の構成を備える。
【００１９】
すなわち、撮像した画像を印刷装置に出力して印刷させることが可能な撮像装置の制御方法であって、
撮像画像を表示装置に表示する表示工程と、
前記撮像画像の拡大を指示する指示工程と、
前記指示工程による指示に従って前記撮像画像を拡大した拡大画像を生成し、生成した当該拡大画像のうち指示された領域を前記表示手段に表示させる表示制御工程と、
前記撮像画像全体に対する印刷、もしくは前記拡大画像中の前記指示された領域の画像に対する印刷、の何れを行うのかを選択する選択工程と、
印刷指示が入力された場合には、前記選択工程で選択した方の画像データを、前記印刷装置に出力する出力工程と
を備えることを特徴とする。
【発明の効果】
【００２０】
本発明の構成により、画像を撮像し、撮像した画像のうち所望の領域の印刷を簡便に行うことができる。
【発明を実施するための最良の形態】
【００２１】
以下添付図面を参照して、本発明を好適な実施形態に従って詳細に説明する。
【００２２】
［第１の実施形態］
本実施形態に係る撮像装置は以下に説明するとおり、撮像した画像をディジタルデータとして保持するディジタルカメラ（電子カメラ）である。また本実施形態に係る撮像装置は、プリンタ等の印刷装置に接続する事ができ、撮像装置側で印刷する対象を設定し、印刷指示を入力することで、印刷対象の画像データを印刷装置に適したデータ形式に変換して印刷装置に出力することができる。すなわち、撮像装置から印刷装置にダイレクトに印刷を行うことができる。
【００２３】
図１は、本実施形態に係る撮像装置の基本構成を示す図である。同図において１００は撮像装置（電子カメラ）本体を示す。１０は撮影レンズ、１２は絞り機能を備えるシャッター、１４は光学像を電気信号に変換する撮像素子、１６は撮像素子１４からのアナログ信号出力をディジタル信号に変換するＡ／Ｄ変換器である。
【００２４】
１８は上記撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００２５】
２０は画像処理回路であり、Ａ／Ｄ変換器１６からのデータ或いはメモリ制御回路２２からのデータ（撮像画像のデータ）に対して所定の画素補間処理や色変換処理を行う。また画像処理回路２０においては、撮像した画像データを用いて所定の演算処理を行い、得られた演算結果に基づいてシステム制御回路５０が露光制御部４０、測距制御部４２に対して制御を行う、TTL（スルー・ザ・レンズ）方式のAF（オートフォーカス）処理、AE（自動露出）処理、ＥＦ（フラッシュプリ発光）処理を行っている。さらに、画像処理回路２０においては、撮像した画像データを用いて所定の演算処理を行い、得られた演算結果に基づいてTTL方式のAWB（オートホワイトバランス）処理も行っている。
【００２６】
２２はメモリ制御回路であり、上記Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２７】
Ａ／Ｄ変換器１６による処理後のデータ（ディジタルデータとしての画像データ）が画像処理回路２０、メモリ制御回路２２を介して、或いはＡ／Ｄ変換器１６によるデータが直接メモリ制御回路２２を介して、画像表示メモリ２４或いはメモリ３０に書き込まれる。
【００２８】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介してアナログ信号に変換され、この信号は画像表示部２８に出力され、ここで画像として表示される。このように、撮像した画像データを画像表示部２８で逐次表示すれば、電子ファインダ機能を実現することが可能である。また、画像表示部２８は、システム制御回路５０からの指示により任意に表示をＯＮ／ＯＦＦすることが可能であり、表示をOFFにした場合には電子カメラ１００の電力消費を大幅に低減することが出来る。
【００２９】
３０は撮影した静止画像や動画像を格納するためのメモリであり、所定枚数分の静止画像や所定時間分の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００３０】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３１】
４０は絞り機能を備えるシャッター１２を制御する露光制御部であり、フラッシュ４８と連携することによりフラッシュ調光機能も有するものである。
【００３２】
４２は撮影レンズ１０のフォーカシングを制御する測距制御部、４４は撮影レンズ１０のズーミングを制御するズーム制御部、４６はバリアである保護部１０２の動作を制御するバリア制御部である。
【００３３】
４８はフラッシュであり、AF補助光の投光機能、フラッシュ調光機能も有する。
【００３４】
露光制御部４０、測距制御部４２はTTL方式を用いて制御されており、撮像した画像データを画像処理回路２０によって演算した演算結果に基づき、システム制御回路５０が露光制御部４０、測距制御部４２に対する制御を行う。
【００３５】
５０は電子カメラ１００全体を制御するシステム制御回路、５２はシステム制御回路５０の動作用の定数、変数、プログラム等を記憶するメモリである。
【００３６】
５４はシステム制御回路５０でのプログラムの実行に応じて、文字、画像、音声等を用いて動作状態やメッセージ等を表示する液晶表示装置、スピーカー等により構成されている提示部であり、電子カメラ１００の操作部近辺の視認し易い位置に単数或いは複数個所設置され、例えばLCDやLED、発音素子等の組み合わせにより構成されている。また提示部５４は、その一部の機能が光学ファインダ１０４内に設置されている。
【００３７】
提示部５４による表示内容のうち、LCD等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００、２１０の着脱状態表示、通信Ｉ／Ｆ動作表示、日付・時刻表示、等がある。また提示部５４による表示内容のうち、光学ファインダー１０４内に表示するものとしては、合焦表示、手振れ警告表示、フラッシュ充電表示、シャッタースピード表示、絞り値表示、露出補正表示、等がある。
【００３８】
５６は電気的に消去・記録可能な不揮発性メモリであり、例えばEEPROM等が用いられる。
【００３９】
６０、６２、６４、６６、６８及び７０は、システム制御回路５０の各種の動作指示を入力するための操作部であり、スイッチやダイアル、タッチパネル、視線検知によるポインティング、音声認識装置等の単数或いは複数の組み合わせで構成される。ここで、これらの操作部の具体的な説明を行う。
【００４０】
６０はモードダイアルスイッチで、電源オフ、自動撮影モード、撮影モード、パノラマ撮影モード、再生モード、マルチ画面再生・消去モード、PC接続モード等の各機能モードを切り替え設定することが出来る。
【００４１】
６２はシャッタースイッチSW１で、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
【００４２】
６４はシャッタースイッチSW２で、不図示のシャッターボタンの操作完了でONとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４３】
６６は画像表示ＯＮ／ＯＦＦスイッチで、画像表示部２８のＯＮ／ＯＦＦを設定することが出来る。この機能により、光学ファインダー１０４を用いて撮影を行う際に、TFT LCD等から成る画像表示部への電流供給を遮断することにより、省電力を図ることが可能となる。
【００４４】
６８はクイックレビューＯＮ／ＯＦＦスイッチで、撮影直後に撮影した画像データを自動再生するクイックレビュー機能を設定する。
【００４５】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動・再生画像移動十字キー、撮影画質選択ボタン、露出補正ボタン、日付／時間設定ボタン、印刷ボタン等がある。
【００４６】
８０は電源制御部で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４７】
８２、８４はコネクタ、８６はアルカリ電池やリチウム電池等の一次電池やNiCd電池やNiMH電池、Li電池等の二次電池、ACアダプター等からなる電源であって、電子カメラ１００に対する電力を供給する。
【００４８】
９０及び９４はメモリカードやハードディスク等の記録媒体２００，２１０とのインタフェース（Ｉ／Ｆ）、９２及び９６はメモリカードやハードディスク等の記録媒体２００，２１０との接続を行う為のコネクタ、９８はコネクタ９２に記録媒体２００が装着されているか否か、コネクタ９６に記録媒体２１０が装着されているか否かを検知する記録媒体着脱検知部である。
【００４９】
なお、本実施形態では記録媒体を取り付けるインタフェース及びコネクタを２系統持つものとして説明している。もちろん、記録媒体を取り付けるインタフェース及びコネクタの数はこれに限定するものではなく、単数或いは複数、いずれの系統数を備える構成としても構わない。また、異なる規格のインタフェース及びコネクタを組み合わせて備える構成としても構わない。インタフェース及びコネクタとしては、PCMCIAカードやCF（コンパクトフラッシュ（登録商標））カード等の規格に準拠したものを用いて構成して構わない。
【００５０】
さらに、インタフェース９０及び９４、そしてコネクタ９２及び９６をPCMCIAカードやCF（コンパクトフラッシュ（登録商標））カード等の規格に準拠したものを用いて構成した場合、LANカードやモデムカード、USBカード、IEEE１３９４カード、P１２８４カード、SCSIカード、PHS等の通信カード、等の各種通信カードを接続することにより、他のコンピュータやプリンタ等の周辺機器との間で画像データや画像データに付属した管理情報を転送し合うことが出来る。
【００５１】
１０２は、電子カメラ１００のレンズ１０を含む撮像部を覆う事により、撮像部の汚れや破損を防止するバリアである保護部である。
【００５２】
１０４は光学ファインダであり、画像表示部２８による電子ファインダ機能を使用すること無しに、光学ファインダのみを用いて撮影を行うことが可能である。また、光学ファインダー１０４内には、提示部５４の一部の機能、例えば、合焦表示、手振れ警告表示、フラッシュ充電表示、シャッタースピード表示、絞り値表示、露出補正表示などが設置されている。
【００５３】
１１０は通信部で、ＲＳ２３２ＣやＵＳＢ、ＩＥＥＥ１３９４、Ｐ１２８４、ＳＣＳＩ、モデム、ＬＡＮ、無線通信、等の各種通信機能を有する。この通信部１１０が、プリンタが有している通信ＩＦであるＵＳＢやＰ１２８４の場合には、通信部１１０を用いてカメラとプリンタを有線で直接接続することが可能である。また、無線通信機能を有している場合、無線通信機能に対応したプリンタとカメラを接続することが可能である。
【００５４】
１１２は通信部１１０により電子カメラ１００を他の機器と接続するコネクタ或いは無線通信の場合はアンテナである。
【００５５】
２００はメモリカードやハードディスク等の記録媒体である。記録媒体２００は、半導体メモリや磁気ディスク等から構成される記録部２０２、電子カメラ１００とのインタフェース２０４、電子カメラ１００と接続を行うコネクタ２０６を備えている。
【００５６】
２１０はメモリカードやハードディスク等の記録媒体である。記録媒体２１０は、半導体メモリや磁気ディスク等から構成される記録部２１２、電子カメラ１００とのインタフェース２１４、電子カメラ１００と接続を行うコネクタ２１６を備えている。
【００５７】
以上の構成を備える撮像装置により、撮像した画像を、この撮像装置に接続しているプリンタに印刷させるために行う一連の処理について以下、説明する。従って、以下の説明では撮像装置には、プリンタが接続されているものとする。
【００５８】
先ず、撮像装置の操作者は、モードダイヤル６０を操作してカメラを再生モードにする。再生モードにすることで、記録媒体２００（或いは２１０）に保存された画像の最後の画像が画像表示部２８に１コマ再生表示される。従ってシステム制御回路５０は、モードダイヤル６０によって設定されたモードを参照し、再生モードである場合には、記録媒体２００（或いは２１０）の記録部２０２（或いは２１２）に保存された画像のうち最後の画像のデータを読み出してメモリ３０に一時的に格納すると共に、Ｄ／Ａ変換器２６に入力する。Ｄ／Ａ変換器２６はアナログ信号に変換し、変換後のアナログ信号を画像表示部２８に出力する。これにより、画像表示部２８の表示画面上には、記録媒体２００（或いは２１０）の記録部２０２（或いは２１２）に保存された画像のうち最後の画像が表示される。以下の説明では、記録媒体２００（或いは２１０）から読み出され、画像表示部２８に表示された画像を「原画像」と呼称する場合がある。
【００５９】
図２は、画像表示部２８の表示画面に表示された画像（原画像）の表示例を示す図である。同図において２００は原画像の表示領域（表示画面）であって、同図ではこの領域内に原画像が表示されている。
【００６０】
このように、画像表示部２８の表示領域２００内に原画像が表示されている状態で、操作者が操作部７０の再生画像移動十字キーを左右に押下すると、１コマ前、または１コマ後の画像（動画図であれば１フレーム前／後、静止画であれば、記録順やファイル名順などの順番で１つ前／後）が記録媒体２００（或いは２１０）から読み出されて、画像表示部２８の表示領域２００内に表示される。この操作により選択された画像は、この原画像の表示処理と同様の処理過程でもって記録媒体２００（或いは２１０）から読み出されて画像表示部２８に表示される。
【００６１】
なお、メモリ３０には、常に現在画像表示部２８に表示されている画像のデータが格納されている。
【００６２】
画像の選択後、操作者が操作部７０のマクロボタンを押下した状態で操作部７０の再生画像移動十字キーを上下に押下すると、選択した原画像に対する拡大／縮小を行うことが可能となる。例えば十字キーの上キーの連続押下回数（連続押下時間）に応じて拡大倍率を上げることができ、十字キーの下キーの連続押下回数（連続押下時間）に応じて縮小倍率を上げることができる。なお、縮小は拡大状態からの縮小動作に限られ、拡大されていない状態から縮小動作を行った場合には、通常の１コマ再生表示状態のままである。
【００６３】
また、操作者は、操作部７０のマクロボタンを押下しないで再生画像移動十字キーを押下すると、画像の拡大表示している位置（拡大表示位置）を移動させることが出来る。拡大画像の上側が見たい場合には（拡大表示位置を上側に移動させる場合は）十字キーの上キーを、拡大画像の下側が見たい場合には（拡大表示位置を下側に移動させる場合は）十字キーの下キーを、拡大画像の左側が見たい場合には（拡大表示位置を左側に移動させる場合には）十字キーの左キーを、拡大画像の右側が見たい場合には（拡大表示位置を右側に移動させる場合には）十字キーの右キーをそれぞれ押下することで拡大表示位置を移動させることが可能となる。なお、拡大表示位置の移動は、原画像が表示されているとき以外のみ有効であるとする。
【００６４】
そして画像表示部２８の表示画面には、拡大画像上の拡大表示位置を中心とした所定サイズ（原画像のサイズ）の矩形に含まれている画像（表示対象領域）を表示画面のサイズに合わせて拡大して表示する。
【００６５】
このように、操作部７０を操作することで、原画像のうち拡大して見たい領域がある場合には、操作者は先ず操作部７０を上述のようにして操作して画像を拡大させる。そして所望のサイズに拡大した後に、画像表示部２８の表示画面内に見たい領域がくるように、十時キーを上述のようにして操作し、拡大表示位置を移動させる。これにより、画像表示部２８の表示画面２００上には、原画像のうち拡大して見たい領域の画像が表示されることになる。
【００６６】
このときシステム制御回路５０は、操作部７０によって拡大操作が指示された場合には、メモリ３０に保持されている原画像のデータを用いて、この原画像の拡大画像を生成する。拡大画像の生成については画素補間などの技術を用いて行うことができるが、これは周知の技術であるので、これについての説明は省略する。そして生成した拡大画像のデータはメモリ３０上に原画像とは別個に保持される。
【００６７】
また、システム制御回路５０は、操作部７０によって拡大表示位置の移動操作が指示された場合には、その移動方向に応じて、メモリ３０に保持されている拡大画像上の現在の拡大表示位置を移動させる。
【００６８】
そしてシステム制御回路５０は、拡大画像上の拡大表示位置を中心とした所定サイズ（原画像のサイズ）の矩形に含まれている画像のデータ、もしくは原画像のデータをＤ／Ａ変換器２６に入力する。Ｄ／Ａ変換器２６はアナログ信号に変換し、変換後のアナログ信号を画像表示部２８に出力する。これにより、画像表示部２８の表示画面上には、操作者が見たい画像が表示されることになる。なお、このように、撮像した画像中の任意の領域を拡大して画像表示部２８に表示させるためにシステム制御回路５０が行うべき処理については周知の技術を用いているので、これ以上の説明は省略する。
【００６９】
図３は、図２の画像において、所望の領域を拡大して表示した表示例を示す図である。同図に示す如く、表示領域２００には、原画像において操作部７０を用いた上記操作により指示された所望の領域を拡大した画像拡大が表示される。
【００７０】
ここで、拡大して見たい領域は操作者が関心のある領域であるので、印刷の対象となりやすい。そこで、操作者が拡大して見たい領域を画像表示部２８の表示画面に表示させた状態で、この表示されている画像を印刷する場合について説明する。
【００７１】
図３に示した画面が画像表示部２８の表示画面上に表示されている状態で、操作者が操作部７０の印刷ボタンを押下すると、システム制御回路５０はこれを検知し、印刷モードに移行する。印刷モードに移行すると、システム制御回路５０は、画像表示部２８に印刷モードに移行した旨を示す警告画像を表示し、操作者に不用意にプリンタとの接続を切断しないように促す。図４は、印刷モードに移行後、画像表示部２８に表示される警告画像の表示例を示す図である。同図において４００は、この警告画像を示す。なお、警告画像はこれに限定するものではないし、単に警告文の文字列を表示するようにしても良い。
【００７２】
印刷モードに移行すると、システム制御回路５０は、メモリ３０に格納されている拡大画像のデータのうち、表示対象領域に含まれている画像データをプリンタに出力する処理を行う。なお、撮像装置側にプリンタのドライバソフトが格納されている場合には、メモリ３０に格納されている拡大画像のデータのうち、表示対象領域に含まれている画像データをこのドライバソフトでもって、プリンタが扱うことのできるデータ形式に変換し、変換後のデータをプリントデータとしてこのプリンタに出力する。
【００７３】
図５は、画像表示部２８における表示画像と、印刷画像との関係を示す図で、同図において左側は、原画像において拡大表示領域中の画像を表示する画像表示部２８の表示画面を示しており、この状態で印刷を行うと、同図右側に示す画像、すなわち、画像表示部２８の表示画面上に表示されている画像が印刷されることになる。
【００７４】
以上のようにして、操作者は、撮像した画像を鑑賞する際にはこの画像のうち任意の領域を拡大して観察することができ、拡大した領域の画像、すなわち、操作者にとって関心のある領域の画像を印刷することができる。これにより、操作者にとっては、印刷する領域の設定は画像の鑑賞を行っている段階で設定されることになるので、印刷を行おうとする段階で観察者は印刷領域を設定する必要はなく、印刷ボタンを押下するだけで印刷を行うことができ、印刷を行おうと操作を行ってから印刷が完了するまでを迅速に行うことができる。
【００７５】
図８は、撮像装置が撮像した画像のうち、操作者が設定した所望の領域の画像をプリンタに印刷させるための一連の処理のフローチャートである。なお、同図のフローチャートに従ったプログラムはメモリ５０に格納されており、これをシステム制御回路５０が実行することで、本実施形態に係る撮像装置１００は以下説明する印刷に係る一連の処理を行うことができる。
【００７６】
先ず、操作部７０を用いた表示対象の画像の選択指示が入力されたかをチェックし、選択指示が入力されたことを検知した場合、すなわち、操作部７０の再生画像移動十字キーの左キー、右キーの何れかのキーの押下を検知した場合には、押下されているキーに応じて、現在のコマから１コマ前、または１コマ後の画像を記録媒体２００（或いは２１０）から読み出し、メモリ３０に格納する（ステップＳ８０１）。
【００７７】
次に、操作部７０を用いた画像の拡大／縮小指示が入力されたか否かをチェックし、拡大／縮小指示が入力されたことを検知した場合、すなわち、操作部７０のマクロボタンを押下した状態で操作部７０の再生画像移動十字キーの上キー、下キーの何れかのキーの押下を検知した場合には、押下されているキーに応じて、原画像とは別個に拡大／縮小処理の対象となる画像に対する拡大／縮小処理を行う（ステップＳ８０２）。なお、上述の通り、拡大／縮小処理結果の画像のデータは原画像とは別個にメモリ３０に格納される。
【００７８】
次に、操作部７０を用いた拡大表示位置の移動指示が入力されたか否かをチェックし、拡大表示位置の移動指示が入力されたことを検知した場合、すなわち、操作部７０のマクロボタンを押下しない状態で再生画像移動十字キーの上キー、下キーを、左キーを、右キーの何れかのキーの押下を検知した場合には、押下されているキーに応じて、拡大画像上の拡大表示位置を移動させる（ステップＳ８０３）。
【００７９】
そしてシステム制御回路５０は、拡大画像上の拡大表示位置を中心とした所定サイズ（原画像のサイズ）の矩形に含まれている画像のデータ、もしくは原画像のデータをＤ／Ａ変換器２６に入力し、ここでアナログ信号に変換し、変換後のアナログ信号を画像表示部２８に出力することにより、画像表示部２８の表示画面上に、操作者が見たい画像が表示される（ステップＳ８０４）。
【００８０】
次に、操作部７０の印刷ボタンの押下がなされたか否かをチェックし（ステップＳ８０５）、印刷ボタンの押下を検知した場合には、印刷モードに移行し、画像表示部２８に印刷モードに移行した旨を示す警告画像を表示すると共に、メモリ３０に格納されている拡大画像のデータのうち、表示対象領域に含まれている画像データ（原画像に対して拡大処理を行っていない場合にはこの画像データは原画像のデータとなる）をプリンタに出力する処理を行う（ステップＳ８０６）。なお上述の通り、撮像装置側にプリンタのドライバソフトが格納されている場合には、ステップＳ８０６では、メモリ３０に格納されている拡大画像のデータのうち、表示対象領域に含まれている画像データをこのドライバソフトでもって、プリンタが扱うことのできるデータ形式に変換し、変換後のデータをプリントデータとしてこのプリンタに出力する。
【００８１】
以上の説明により、本実施形態では、撮像画像において所望の領域とは操作者の関心のある領域であり、且つ関心のある領域であれば、この所望の領域を操作者が拡大して閲覧するであろうと思われることから、閲覧時にすでに印刷対象の領域が指定されていることになる。従って、本実施形態によると、関心のある領域の印刷時にはすでにこの領域が閲覧されているので、印刷開始を行うには印刷ボタンを押下するだけでよく、その結果、閲覧時から印刷を行うまでの即時性を高めることができる。
【００８２】
なお、画像を選択、印刷するために操作する操作部７０の操作方法に関しては以上の操作方法に限定するものではない。
【００８３】
［第２の実施形態］
第１の実施形態では、撮像画像の一部を拡大して閲覧している状態で印刷ボタンを押下すると、原画像のうち所望の領域を拡大した画像が印刷対象となっていた。本実施形態では印刷の前段で、原画像のうち所望の領域を拡大した画像、原画像の何れを印刷するのかを選択可能にする。
【００８４】
以下、本実施形態に係る撮像装置、及び撮像装置が行う処理について説明する。
【００８５】
本実施形態に係る撮像装置の構成については以下触れている点のみが第１の実施形態とは異なりそれ以外については第１の実施形態と同じである。
【００８６】
図９は、撮像装置が撮像した画像のうち、操作者が設定した所望の領域の画像をプリンタに印刷させるための一連の処理のフローチャートである。なお、同図のフローチャートに従ったプログラムはメモリ５０に格納されており、これをシステム制御回路５０が実行することで、本実施形態に係る撮像装置１００は以下説明する印刷に係る一連の処理を行うことができる。
【００８７】
ステップＳ９０１からステップＳ９０５までの各ステップは、図８のステップＳ８０１からステップＳ８０５までの各ステップと同じであるので、説明は省略する。
【００８８】
システム制御回路５０が印刷ボタンの押下を検知した場合、処理をステップＳ９０６に進め、メモリ３０に格納されている原画像の印刷を行うのか、メモリ３０に格納されている拡大画像のデータのうち、表示対象領域に含まれている画像データを印刷するのかを操作者に選択させるための画面を画像表示部２８の表示画面上に表示する（ステップＳ９０６）。
【００８９】
図６は、ステップＳ９０６で表示される表示画面の表示例を示す図である。同図に示す如く、トリミング印刷、すなわち、メモリ３０に格納されている拡大画像のデータのうち、表示対象領域に含まれている画像データの印刷を行うのか否かを操作者に選択させるための画面が画像表示部２８の表示画面上に表示される。
【００９０】
そして操作者が操作部７０を用いてトリミング印刷を行うのか否かを選択し、この選択の結果、キャンセルする場合、すなわち印刷そのものをキャンセルする場合には処理をステップＳ９０４に戻す。一方、トリミング印刷を行わない、すなわち、原画像の印刷を行う場合には、処理をステップＳ９０７に進め、メモリ３０に保持している原画像のデータ（ステップＳ９０１で読み出され、メモリ３０に格納した画像データ）をプリンタに出力する処理を行う（ステップＳ９０７）。なお上述の通り、撮像装置側にプリンタのドライバソフトが格納されている場合には、ステップＳ９０７では、メモリ３０に格納されている原画像のデータをこのドライバソフトでもって、プリンタが扱うことのできるデータ形式に変換し、変換後のデータをプリントデータとしてこのプリンタに出力する。
一方、トリミング印刷を行う場合、すなわち、メモリ３０に格納されている拡大画像のデータのうち、表示対象領域に含まれている画像データの印刷を行う場合には、処理をステップＳ９０８に進め、ステップＳ８０６と同じ処理を行う（ステップＳ９０７）。
【００９１】
図７は、トリミング印刷を行う場合、行わない場合のそれぞれについて印刷される画像を示す図で、トリミング印刷を行う場合（Ｙｅｓ選択）、第１の実施形態と同様に、表示対象領域が印刷され、トリミング印刷を行なわない場合（Ｎｏ選択）、原画像が印刷される。
【００９２】
なお、上記各実施形態において、印刷する対象は原画像、もしくは原画像中の所望の領域を拡大した画像であったが、原画像の色に係るパラメータを変更することで色成分を操作した画像や、原画像中の所望の領域を拡大した画像の色に係るパラメータを変更することで色成分を操作した画像等を印刷対象とするようにしてもよい。例えば、原画像中の所望の領域を拡大した画像が元はカラー画像であった場合に、この画像を白黒画像に変換し（例えば操作部７０を用いて白黒画像変換を指示する）、変換後の画像（白黒画像）を印刷対象とするようにしても良い。このように、印刷対象の画像は、単に原画像や原画像中の所望の領域の拡大画像に限定するものではなく、これらの画像に対して所望の画像処理を施した結果を印刷対象とするようにしても良い。
【図面の簡単な説明】
【００９３】
【図１】本発明の第１の実施形態に係る撮像装置の基本構成を示す図である。
【図２】画像表示部２８の表示画面に表示された画像（原画像）の表示例を示す図である。
【図３】図２の画像において、所望の領域を拡大して表示した表示例を示す図である。
【図４】印刷モードに移行後、画像表示部２８に表示される警告画像の表示例を示す図である。
【図５】画像表示部２８における表示画像と、印刷画像との関係を示す図である。
【図６】ステップＳ９０６で表示される表示画面の表示例を示す図である。
【図７】トリミング印刷を行う場合、行わない場合のそれぞれについて印刷される画像を示す図である。
【図８】本発明の第１の実施形態に係る撮像装置が撮像した画像のうち、操作者が設定した所望の領域の画像をプリンタに印刷させるための一連の処理のフローチャートである。
【図９】本発明の第２の実施形態に係る撮像装置が撮像した画像のうち、操作者が設定した所望の領域の画像をプリンタに印刷させるための一連の処理のフローチャートである。
【図１】
2006005474.tif 000003
【図２】
2006005474.tif 000004
【図３】
2006005474.tif 000005
【図４】
2006005474.tif 000006
【図５】
2006005474.tif 000007
【図６】
2006005474.tif 000008
【図７】
2006005474.tif 000009
【図８】
2006005474.tif 000010
【図９】
2006005474.tif 000011